(57)【要約】気相にある揮発性及び半揮発性有機化合物のためのフォーカス装置であって、１つの支持構造（２）と、前記有機化合物のための１つの容器（１２）と、１つの冷却要素（１８）及び前記有機化合物を分析システムに移動するための１つの加熱要素（１６）とを含み、前記冷却要素（１８）及び前記加熱要素（１６）は、前記支持構造（２）の２つの分離した領域に位置し、前記容器（１２）に対して移動可能な単一ブロック（１４）を形成することを特徴とするフォーカス装置。
2004515753.tif 000002
【特許請求の範囲】
【請求項１】
気相にある揮発性及び半揮発性の有機化合物のためのフォーカス装置であって、１つの支持構造（２）と、前記有機化合物のための１つの容器（１２）と、前記有機化合物の凝縮のための１つの冷却要素（１８）と、前記有機化合物を分析システムに移動させるための１つの加熱要素（１６）とを含み、前記冷却要素（１８）及び前記加熱要素（１６）は、前記支持構造（２）内の２つの分離した領域に位置し、前記容器（１２）に対して移動可能な単一ブロック（１４）を形成することを特徴とするフォーカス装置。
【請求項２】
前記構造（２）が、２つの端部間で移動可能な１つのブロック（１４）のためのガイド手段（４）を含み、これらの端部において、前記冷却要素（１８）と前記加熱要素（１６）はそれぞれ前記容器（１２）に向かい合うことを特徴とする請求項１記載の装置。
【請求項３】
前記構造（２）が、その端部において２つのプレート要素（６、６’）によって支持される複数の平行支柱（４）を含み、前記ブロック（１４）は、このブロックが前記支柱（４）に沿って２つの方向に移動するための手段に結合していることを特徴とする請求項１記載の装置。
【請求項４】
前記プレート要素（６、６’）が、コネクタ（８、８’）の手段によって、中央部分（１２）が前記有機化合物のための前記容器（１２）を形成する１つのチューブ状要素（１０）を支持することを特徴とする請求項３記載の装置。
【請求項５】
前記加熱要素（１６）及び前記冷却要素（１８）は、前記チューブ状要素（１０）が入るように形成されることを特徴とする請求項４記載の装置。
【発明の詳細な説明】
【０００１】
（発明の技術分野）
本発明は、気相にある揮発性及び半揮発性の有機化合物のためのフォーカス装置に関する。
【０００２】
分析機器、特にガスクロマトグラフィーにおいて使用されるフォーカス・トラップは、気相において存在する揮発性及び半揮発性化合物を、それらが分析システムに移動される前に凝縮するものとして知られている。
前記有機化合物は、フォーカス・トラップを冷却することによって凝縮され、そのトラップを加熱することによって分析システムに移動される。
既知のフォーカス・トラップでは、そのオペレーションの間、加熱システム及び冷却システムがトラップに対して固定された位置にあり、このトラップは先行する冷却段階の終了時においてのみ加熱される。
【０００３】
既知のフォーカス・トラップの欠点は、低温（凝縮段階）から高温（移動段階）への移行をより迅速に且つ優れたものとするアプリケーション性能が、ヒーターの温度上昇速度に関連する充分でないトラップ加熱速度によって制限されることであり、ヒーターは冷たい状態から始動しなければならないので、予め設定された温度に到達して安定するまでに数秒かかるということである。
別の欠点は、加熱要素と冷却要素の間で起こり得る相互作用の存在である。
【０００４】
本発明によればこのような欠点は、請求項１に記載されるような、気相にある揮発性及び半揮発性有機化合物をフォーカスする装置によって克服される。
【０００５】
本発明の好ましい実施形態は、添付された図を参照して以下詳細に詳述される。
図から見て取れるように、本発明の装置は、平行支柱４を備えた支持部材２を含み、この支持部材はその両端において２つのプレート６、６’によって支持される。
適切なコネクタ８、８’の手段によって、２つのプレート６、６’は、中央部分１２が分析される有機化合物のための「トラップ」を構成するチューブ１０を支持する。
構造２の内部には、支柱４に沿ってスライド可能なブロック１４が設けられ、電気ヒーター１６及び電気クーラー１８はこのブロックに取り付けられる。
前記ブロック１４は接続ロッド及びクランク・システムにより、支柱４に沿うように動かされる。尚、このクランク・システムは本発明の部分を構成せず、図に示されることもなく、単にここに引用されている。
ブロック１４に対するヒーター１６及びクーラー１８の位置は、トラップ１２が、ブロック１４の一端部ではクーラー１８によって囲まれ、逆にブロック１４の他端部ではヒーター１６によって囲まれるような位置である。
【０００６】
本発明の装置は以下のように機能する。最初にブロック１４は、クーラー１８がトラップ１２を囲み（図１参照）、有機化合物を凝縮するために、トラップに収容された有機化合物を冷却できるように配置される。同時にヒーター１６は、予め設定された作業温度に既に達しているように電力を供給され、トラップ１２から横にずらされる。
予定された作業サイクルに基づいてトラップが冷却されると、ヒーター１６がトラップ１２に向かい合うように、ブロック１４は支柱４に沿ってスライドし（図２参照）、既にその作業温度に達したヒーターが、トラップ内に含まれる有機化合物を必要速度で加熱するようにする。
この段階の終了時に、加熱された有機化合物はガスクロマトグラフィーへ移動される。
【０００７】
前述された事柄から、トラップが冷却段階から加熱段階へ進むとき、その目的で提供される２つの要素１６、１８を電気的にスイッチを入れたり切ったりすることにより、静的にではなく、代わりに、常にその作業温度に維持される要素１６及び要素１８を移動させることにより動的に、トラップは予め決定されたオペレーティング状態に、より迅速に到達することができる。特にトラップ１２の加熱は、ヒーターがトラップに向かい合う時、ヒーターはセット温度に既に定まっているので、冷却段階直後の開始段階において特に迅速である。
【０００８】
この迅速な加熱の長所により、分析システムへの移動は、より効果的で迅速なものとなる。更に本発明の装置により、加熱要素と冷却要素との間に熱の相互作用はない。
【図面の簡単な説明】
【図１】
冷却状態にある本発明のフォーカス装置の概略図である。
【図２】
加熱状態にある本発明のフォーカス装置の概略図である。
【国際公開パンフレット】
2004515753.tif 000003
2004515753.tif 000004
2004515753.tif 000005
2004515753.tif 000006
2004515753.tif 000007
2004515753.tif 000008
2004515753.tif 000009
【手続補正書】
【提出日】平成14年5月22日(2002.5.22)
【手続補正１】
【補正対象書類名】明細書
【補正対象項目名】特許請求の範囲
【補正方法】変更
【補正の内容】
【特許請求の範囲】
【請求項１】
気相にある揮発性及び半揮発性の有機化合物のためのフォーカス装置であって、１つの支持構造（２）と、前記有機化合物のための１つの容器（１２）と、前記有機化合物の凝縮のための１つの冷却要素（１８）と、前記有機化合物を分析システムに移動させるための１つの加熱要素（１６）とを含み、前記冷却要素（１８）及び前記加熱要素（１６）は、前記冷却要素と前記加熱要素の間で熱の相互作用が起こらないように前記支持構造（２）内の２つの分離した領域に位置し、前記冷却要素及び前記加熱要素の作業温度を常に維持し、また前記容器（１２）に対し２つの端部位置間で移動可能な単一ブロック（１４）を形成し、これら２つの端部位置に対応して前記加熱要素（１６）及び前記冷却要素（１８）が選択的に前記容器（１２）に向かい合うことを特徴とするフォーカス装置。
【請求項２】
前記構造（２）が、その端部において２つのプレート要素（６、６’）によって支持される複数の平行支柱（４）を含むガイド手段（４）からなり、前記ブロック（１４）は、このブロックが前記支柱（４）に沿って、前記端部位置の間で２つの方向に移動するための手段に結合していることを特徴とする請求項１記載の装置。
【請求項３】
前記プレート要素（６、６’）が、コネクタ（８、８’）の手段によって、中央部分（１２）が前記有機化合物のための前記容器（１２）を形成する１つのチューブ状要素（１０）を支持することを特徴とする請求項２記載の装置。
【請求項４】
前記加熱要素（１６）及び前記冷却要素（１８）は、前記チューブ状要素（１０）を囲むように形成されることを特徴とする請求項３記載の装置。
【国際調査報告】
2004515753.tif 000010
2004515753.tif 000011